(57)【特許請求の範囲】
【請求項１】
相互に連通される取付穴をそれぞれ備えた二つの部材の当該連通状態にある取付穴に差し入れられる筒状部を備えた本体と、
前記連通状態にある二つの部材の取付穴に差し入れられた本体の筒状部における一方の開口側から当該筒状部内に差し入れられる筒状をなすロック体とを有しており、
前記本体は、前記ロック体の差入側にある開口縁部に外向きの鍔部を有すると共に、この本体の前記筒状部への当該ロック体の差し入れに伴って、当該ロック体の差入側と反対の側にある開口縁部から外側方に突き出され、前記鍔部との間で前記二つの部材を挟み付ける挟持片を有しており、
前記ロック体には、このロック体の内外に連通した割溝により区分された弾性掛合片が設けてあると共に、前記本体には、前記ロック体の当該本体の筒状部への差し入れに伴って撓まされる前記弾性掛合片を、当該差し入れの終了位置で撓み戻させて当該弾性掛合片に掛合される掛合部が設けてあり、
しかも、筒状をなす前記ロック体の内側には、枠状をなし枠内を指掛け穴とし、かつ、前記弾性掛合片に連接された当該弾性掛合片の前記掛合の解除操作部が設けてあると共に、この解除操作部内に弾性掛合片に連接された目隠し板が納まっていることを特徴とする二つの部材の連結具。
【発明の詳細な説明】
【０００１】
【発明の属する技術分野】
この発明は、相互に連通される取付穴をそれぞれ備えた二つの部材の当該連通状態にある取付穴に差し入れて、かかる二つの部材の連結をなす連結具の改良に関する。
【０００２】
【従来の技術】
相互に連通される取付穴をそれぞれ備えた二つの板状体の当該連通状態にある取付穴に差し入れて、かかる二つの板状体の連結をなす連結具として、特公平１−１６７４３にかかる包装用止め具がある。
【０００３】
かかる止め具は、前記連通状態にある取付穴に差し入れられる筒状部を備えたベース体と、このベース体の前記筒状部に差し入れられる筒状部を備えたキー体とを有する。ベース体は、前記取付穴への差し入れ側と反対の側に外鍔を有し、かつ、このベース体へのキー体の前記外鍔側からの差し入れに伴って、このベース体の筒状部における前記取付穴への差し入れ側の開口縁部から外側方に張り出すフック部材を有する。この結果、かかる止め具によれば、前記連通状態にある二つの板状体の取付穴に前記ベース体の筒状部を前記のように差し入れた後、このベース体の筒状部に前記キー体を差し入れることにより、前記フック部材を前記のように張り出させて、このように張り出されるフック部材と前記外鍔との間で前記二つの板状体を挟み付けることができる。
【０００４】
また、かかる止め具にあっては、かかる二つの板状体の挟み付け状態を維持できるように、前記ベース体の筒状部の内縁に係止部を設けると共に、キー体にこれに対応した係止突部を設けて、かかるベース体の筒状部へのキー体の筒状部の差し込み状態を保持するようにしている。
【０００５】
【発明が解決しようとする課題】
しかしながら、かかる従来の止め具にあっては、前記二つの板状体の挟み付け状態を維持する前記係止部と係止突部との掛合を解くための具体的な手段を有しておらず、かかる掛合を解くに足る引っ張り力をもって前記キー体に設けた摘み片を引っ張ることにより、かかる掛合を解くことを余儀なくさせるものであった。
【０００６】
また、かかる摘み片は、前記ベース体に前記キー体を差し入れた状態において前記ベース体の外鍔に接した状態とされ、このため、かかる摘み片は把持し易いものとはいえず、前記掛合の解除を通じた二つの板状体の分離作業に難を生じさせるものであった。
【０００７】
そこで、この発明は、かかる従来の技術の不都合を解消すること、特に、この種の連結具において、この種の連結具により連結状態に置かれた二つの部材の分離作業をスムースならしめることを目的とする。
【０００８】
【課題を解決するための手段】
前記目的を達成するために、この発明では、二つの部材の連結具が以下の（１）〜（６）の構成を備えたものとした。
（１）相互に連通される取付穴をそれぞれ備えた二つの部材の当該連通状態にある取付穴に差し入れられる筒状部を備えた本体と、
（２）前記連通状態にある二つの部材の取付穴に差し入れられた本体の筒状部における一方の開口側から当該筒状部内に差し入れられる筒状をなすロック体とを有しており、
（３）前記本体は、前記ロック体の差入側にある開口縁部に外向きの鍔部を有すると共に、この本体の前記筒状部への当該ロック体の差し入れに伴って、当該ロック体の差入側と反対の側にある開口縁部から外側方に突き出され、前記鍔部との間で前記二つの部材を挟み付ける挟持片を有しており、
（４）前記ロック体には、このロック体の内外に連通した割溝により区分された弾性掛合片が設けてあると共に、
（５）前記本体には、前記ロック体の当該本体の筒状部への差し入れに伴って撓まされる前記弾性掛合片を、当該差し入れの終了位置で撓み戻させて当該弾性掛合片に掛合される掛合部が設けてあり、
（６）しかも、筒状をなす前記ロック体の内側には、枠状をなし枠内を指掛け穴とし、かつ、前記弾性掛合片に連接された当該弾性掛合片の前記掛合の解除操作部が設けてあると共に、この解除操作部内に弾性掛合片に連接された目隠し板が納まっている。
【０００９】
かかる構成によれば、相互に連通される二つの部材の取付穴に対し、前記本体の筒状部を前記鍔部と反対の側から差し入れ、この後、当該筒状部に前記ロック体を差し入れることにより、前記挟持片を外側方に突き出させて、この挟持片と前記鍔部との間で二つの部材を挟み付けることができる。また、前記本体の筒状部に対するロック体の差し入れの終了位置で前記弾性掛合片と掛合部とを掛合させることができ、かかるロック体を当該差し入れの終了位置から移動しないように保持させることができ、この結果、かかるロック体の前記筒状部への差し入れに伴う前記挟持片の外側方への突き出し状態を安定的に維持することができ、二つの部材の前記挟み付け状態、すなわち、二つの部材の連結状態が確保される。
【００１０】
また、前記解除操作部には、指掛け穴が設けてあることから、この指掛け穴に指を差し入れ、この解除操作部を引っ張ることにより、前記掛合部と掛合し合った前記弾性掛合片を当該掛合を外す向きに容易に撓み込ませることができ、さらに、そのまま解除操作部を引っ張り続けることにより、前記筒状部内からロック体を抜き出させることができる。これにより、前記本体の挟持片の前記外側方への突き出し状態は解除され、前記取付穴から筒状部を抜き出して、連結された二つの部材を分離させることができる。
【００１１】
【発明の実施の形態】
以下、この発明の典型的な実施の形態の一つについて、説明する。
【００１２】
なお、ここで図１は、この実施の形態にかかる連結具を、前記二つの部材Ｐ、Ｐの取付穴Ｈへの本体１０の筒状部１１の差入側と反対の側から見た状態で示すと共に、かかる二つの部材Ｐ、Ｐの取付穴Ｈが設けられている箇所を同時に表して示している。また、図２は、かかる連結具を、前記取付穴Ｈへの前記本体１０の筒状部１１の差入側から見た状態で示している。（同図においては、さらに、本体１０の筒状部１１に設けられた挟持片１３の突き出し状態を理解し易いように、かかる突き出し状態にある挟持片１３を二点鎖線で表して示している。）
【００１３】
また、図３は、二つの部材Ｐ、Ｐの取付穴Ｈに本体１０の筒状部１１を差し入れ、かつ、このように差し入れられた本体１０の筒状部１１に対し、ロック体２０を差し入れた二つの部材Ｐ、Ｐの連結状態Ｕを連結具を縦断面の状態として示している。また、図４は、図３の状態から前記本体１０の筒状部１１内よりロック体２０を抜き出させた解除状態Ｒ、（もしくは、前記二つの部材Ｐ、Ｐの取付穴Ｈに本体１０の筒状部１１を差し入れた前記連結状態Ｕの直前の状態）を理解し易いように、連結具を縦断面の状態として示している。また、図５は、前記連結状態Ｕにある連結具を図３における左側から見た状態として示している。
【００１４】
また、図６は、連結具を、一側面側から見た状態で、また、図７は、図６と反対の側から見た状態で、また、図１０は、図６の上側から見た状態で、また、図１３は、図７における左側の向きから、また、図１４は、図７における右側の向きから見た状態で、かかる連結具をそれぞれ表している。
【００１５】
さらに、図８は、挟持片１３と連接板１３ａおよびヒンジ部１３ｂの構成を理解し易いように、また、図９は、本体１０とロック体２０とを連接するヒンジ部２５の構成を理解し易いように、図１１および図１２は、ロック体２０の弾性掛合片２１が設けられている箇所および解除操作部２３の構成を理解し易いように、連結具をそれぞれの箇所で断面にした状態で示している。
【００１６】
この実施の形態にかかる連結具は、略方形状をなす取付穴Ｈを備えた板状をなす二つの部材Ｐ、Ｐの連結に用いるのに適した構造を備えている。
【００１７】
すなわち、この実施の形態にかかる連結具は、前記二つの部材Ｐ、Ｐの取付穴Ｈを連通させ合った状態で、このように連通させ合わされる二つの部材Ｐ、Ｐの取付穴Ｈに対し、先ず、かかる連結具を構成する本体１０を差し入れ、（図４）次いで、当該本体１０内にロック体２０を差し入れることにより、かかる二つの部材Ｐ、Ｐを連結し合わせることができるようにしてある。（図３、図５・以下この状態を、連結状態Ｕと称する。）
【００１８】
前記連結状態Ｕから、前記本体１０内より前記ロック体２０を抜き出させることにより、前記連結状態Ｕを解くことができるようにしてある。（図４・以下この状態を解除状態Ｒと称する。）
【００１９】
先ず、前記本体１０は、前記取付穴Ｈの差し入れ可能な大きさを備えた方形筒状をなす筒状部１１を有する。また、かかる筒状部１１における前記ロック体２０の差入側にある開口縁部１１ａには、当該開口を巡る外向きの鍔部１２が設けてある。かかる鍔部１２は、前記筒状部１１の外側面に対し略直交する向きに突き出されている。
【００２０】
また、前記筒状部１１の内側には、この筒状部１１内への前記ロック体２０の差し入れに伴って、当該筒状部１１における前記ロック体２０の差入側と反対の側にある開口縁部１１ｂから外側方に突き出されるように構成された挟持片１３が設けてある。
【００２１】
この実施の形態にあっては、前記筒状部１１の向き合った一対の内壁にそれぞれ、前記挟持片１３が備えられている。かかる挟持片１３はそれぞれ、前記内壁面に略平行をなす板状に構成してある。また、かかる挟持片１３は、前記内壁から当該内壁面に対して略直交する向きに突き出す連接板１３ａの突き出し端部に、当該挟持片１３における前記ロック体２０の差入側に向けられた縁部を一体に連接させている。
【００２２】
また、かかる連接板１３ａと前記内壁とは、ヒンジ部１３ｂをもって連接してある。この実施の形態にあっては、かかる連接板１３ａに一側縁部を、また、かかる内壁に他側縁部を一体に連接させた弾性変形可能な薄肉片１３ｃをもって、かかるヒンジ部１３ｂを構成してある。
【００２３】
そして、かかるヒンジ部１３ｂから、このヒンジ部１３ｂの直下にある前記筒状部１１の前記ロック体２０の差入側と反対の側の開口縁部１１ｂまでの寸法が、前記壁面からの連接板１３ａの突き出し寸法と略等しいか、やや小さくなるように構成してある。
【００２４】
この結果、この実施の形態にかかる連結具にあっては、前記取付穴Ｈに前記本体１０の筒状部１１を前記鍔部１２が設けられている側と反対の側から差し入れた後、このように差し入れられた筒状部１１における鍔部１２が設けられている開口側から前記ロック体２０を差し入れることにより、このように差し入れられたロック体２０によって前記連接板１３ａを押圧して前記ヒンジ部１３ｂを中心に当該ヒンジ部１３ｂを変形させてかかる連接板１３ａの板面が前記内壁面に接する位置まで当該連接板１３ａを回動させることができる。（図３、図５）そして、かかる回動により、かかる連接板１３ａに連接された前記挟持片１３を、前記筒状部１１における前記ロック体２０の差入側と反対の側の開口縁部１１ｂから外側に張り出させることができる。このように張り出された前記挟持片１３は、前記鍔部１２に向き合うように配され、これにより、かかる鍔部１２と挟持片１３との間で二つの部材Ｐ、Ｐを挟み付け、前記連結状態Ｕを作り出すことが可能となる。
【００２５】
一方、前記ロック体２０は、前記本体１０における筒状部１１の各内壁面に各外壁面をそれぞれ近接状態に向き合わせて当該筒状部１１内に差し入れ可能な大きさを備えた方形筒状に構成してある。すなわち、この実施の形態にあっては、かかるロック体２０は、その一方の開口側から前記本体１０の筒状部１１内に差し込めるように構成してある。したがって、かかるロック体２０を前記のように筒状部１１に差し入れることにより、前記挟持片１３を当該ロック体２０の差入側と反対の側の開口縁部１１ｂから外側に張り出させることが可能とされる。
【００２６】
この実施の形態にあっては、前記本体１０に対して前記ロック体２０が、ヒンジ部２５を介して連接してあり、このヒンジ部２５を中心にこのヒンジ部２５を変形させて、前記ロック体２０を前記本体１０の側に回動させることにより、かかるロック体２０を位置合わせをすることなくスムースに前記本体１０内に差し入れることができるようにしてある。
【００２７】
より詳細には、この実施の形態にあっては、かかるロック体２０における前記筒状部１１への差入側と反対の側にある縁部２０ａに、この縁部２０ａから当該筒状部１１の外壁面に対し略直交する向きに突き出す連接板２４が設けてある。そして、この連接板２４の突き出し端と前記本体１０の鍔部１２の突き出し端とが、前記ヒンジ部２５をもって連接してある。この実施の形態にあっては、かかる連接板２４に一側縁部を、また、かかる鍔部１２に他側縁部を一体に連接させた弾性変形可能な薄肉片２５ａをもって、かかるヒンジ部２５を構成してある。また、前記連接板２４の突き出し寸法は、前記鍔部１２の突き出し寸法よりもやや大きいものとされている。
【００２８】
この結果、この実施の形態にあっては、前記ヒンジ部２５を中心に、前記連接板２４が前記鍔部１２に接する位置まで前記ロック体２０を回動させることができ、かかる位置が前記筒状部１１に対する当該ロック体２０の差し入れの終了位置ＳＴとされる。
【００２９】
また、この実施の形態にあっては、前記ロック体２０における前記ヒンジ部２５が設けられている側と反対の側に弾性掛合片２１が設けてあると共に、前記差し入れの終了位置ＳＴにおいてかかる弾性掛合片２１に掛合される掛合部１４が前記本体１０の筒状部１１における前記ヒンジ部２５が設けられている側と反対の側に設けてあり、かかるロック体２０の差し入れの終了状態を維持できるようにしてある。これにより、前記二つの部材Ｐ、Ｐを前記本体１０の鍔部１２と前記挟持片１３とで挟み付けた状態を維持することができ、前記当該二つの部材Ｐ、Ｐを連結状態Ｕに置くことができる。
【００３０】
より詳細には、この実施の形態にあっては、前記ロック体２０における前記ヒンジ部２５の側と反対の側にある側板部に、互いに間隔をおき、かつ、一端側をかかるロック体２０における前記本体１０の筒状部１１への差入側にある開口縁部２０ｂにおいて外方に開放させて、当該ロック体２０の当該差入側の開口縁部２０ｂと反対の側に向けて延びる一対の割溝２２、２２が設けてあり、この割溝２２により前記弾性掛合片２１が区分して形成してある。かかる弾性掛合片２１は、前記本体１０の筒状部１１への差入側にある端部に、かかるロック体２０の外側に向けて、当該弾性掛合片２１の板面に対して略直交する向きに突き出す掛合突部２１ａを有している。
【００３１】
また、この実施の形態にあっては、前記本体１０の筒状部１１における前記ヒンジ部２５が設けられている側と反対の側に、前記弾性掛合片２１の掛合突部２１ａが、前記差し込みの終了位置ＳＴにおいて収まる窓穴１４ａが形成してあり、この窓穴１４ａが前記掛合部１４としてある。
【００３２】
また、この実施の形態にあっては、前記本体１０の筒状部１１への前記ロック体２０の差し入れにあたり、前記弾性掛合片２１の掛合突部２１ａが前記ヒンジ部２５の側と反対の側の当該筒状部１１の開口縁部に突き当たる構成としてあり、かかる差し入れに伴う当該突き当たりによりかかる弾性掛合片２１が前記ロック体２０の内側に撓み込まされるようにしてある。そして、このように撓み込まされた弾性掛合片２１を、前記掛合突部２１ａが前記窓穴１４ａに入り込む前記差し入れの終了位置ＳＴにおいて、撓み戻させ、これによりかかる掛合突部２１ａと窓穴１４ａとをワンタッチで掛合させるようにしてある。
【００３３】
なお、この実施の形態にあっては、前記窓穴１４ａにおける筒状部１１の内側にある開口が、この筒状部１１における前記ロック体２０の差入側から奥側に向けて次第に高まる傾斜面１４ｃを備えた隆起部１４ｂの当該傾斜面１４ｃに続く位置に開かれている。また、前記弾性掛合片２１の前記掛合突部２１ａが、前記筒状部１１への差し入れ前方側から後方側に向けて次第に当該掛合突部２１ａを細めるように傾斜した傾斜面２１ｂを備えている。かかる両傾斜面１４ｃ、２１ｂにより、前記窓穴１４ａへの前記掛合突部２１ａの入れ込みを、スムースになせるようにしてある。
【００３４】
また、この実施の形態にあっては、筒状をなす前記ロック体２０の内側に、前記窓穴１４ａと前記弾性掛合片２１の掛合突部２１ａとの掛合状態、すなわち、前記二つの部材Ｐ、Ｐの連結状態Ｕを解く解除操作部２３が設けてある。
【００３５】
かかる解除操作部２３は、前記ロック体２０の各内壁に沿い、かつ、各内壁との間に間隔を開けて配された枠状に構成してあり、かかる枠内に指を差し入れ、このように差し入れられた指を引っ掛けることができるようにしてあり、かかる枠内が指掛け穴２３ａとなるようにしてある。
【００３６】
より詳細には、かかる解除操作部２３は、前記ヒンジ部２５が設けられている側の内壁面に向けられた側にある枠部を棒状に構成しており、この棒状に構成される枠部を指掛け部２３ｂとしている。また、かかる解除操作部２３は、かかる解除操作部２３における前記指掛け部２３ｂと反対の側にある枠部と、前記弾性掛合片２１の先端内側部との間に設けられた連接部２３ｃをもって、当該弾性掛合片２１に連接されている。
【００３７】
この結果、この実施の形態にあっては、前記連結状態Ｕにおいて、前記ロック体２０の内側にある前記解除操作部２３の指掛け穴２３ａに指を差し入れ、この差し入れた指を前記指掛け部２３ｂに引っ掛け、かかる解除操作部２３を引っ張ることにより、前記一対の割溝２２、２２により区分された弾性掛合片２１をその基部２１ｃ側を中心に内側に撓み込ませて、容易かつ確実に当該弾性掛合片２１と前記窓穴１４ａとの掛合を解くことができ、さらにかかる解除操作部２３を引っ張ることにより前記ヒンジ部２５を中心に前記ロック体２０を前記筒状部１１から抜き出させる向きに回動させて、前記連結状態Ｕを解くことができる。このように連結状態Ｕを解くことにより、前記相互に連通された二つの部材Ｐ、Ｐの取付穴Ｈから前記本体１０の筒状部１１を抜き出すことが可能となる。この抜き出しにより前記挟持片１３を前記ヒンジ部１３ｂを中心に前記開口縁部１１ｂから張り出さない位置まで回動させることができるようになり、かかる二つの部材Ｐ、Ｐを分離することができるようになる。
【００３８】
なお、この実施の形態にあっては、前記枠状をなす解除操作部２３の前記指掛け穴２３ａ内に収まる大きさの目隠し板２６が、かかる解除操作部２３における前記ロック体２０の前記本体１０の筒状部１１への差入側にある縁部と、かかるロック体２０の当該差入側にある開口縁部２０ｂとの間に板面を位置させるように設けてある。かかる目隠し板２６は、前記解除操作部２３における前記弾性掛合片２１の側にある枠部に設けた割溝２３ｄを通じ、かかる目隠し板２６の一辺と前記弾性掛合片２１とを連接する弾性変形可能な連接片２６ａにより、かかる弾性掛合片２１に連接してある。この結果、前記解除操作部２３の指掛け穴２３ａに指を差し入れた際に、指がかかる目隠し板２６に突き当たっても、前記連接片２６ａを変形させて目隠し板２６を内側に引き込ませることができ、前記指掛け穴２３ａへの指の差し入れに支障を生じさせることはない。
【００３９】
また、前記解除操作部２３における前記弾性掛合片２１との連接側にある枠部における前記割溝２３ｄは、かかる解除操作部２３における前記ロック体２０の前記本体１０の筒状部１１への差入側と反対の側において溝幅を広くし、この側から溝の奥側に向かうに連れて次第に溝幅を狭くするように構成してあり、前記指掛け穴２３ａに指を差し入れてなす当該解除操作部２３の引っ張り操作にあたり、指の背がかかる枠部に当たって当該操作を行い難くしないようにしてある。
【００４０】
【発明の効果】
この発明にかかる二つの部材の連結具によれば、前記解除操作部の指掛け穴に指を差し入れ、この解除操作部を引っ張ることのみにより、前記掛合部と掛合し合った前記弾性掛合片を当該掛合を外す向きに容易に撓み込ませることができ、さらに、そのまま解除操作部を引っ張り続けることにより、前記筒状部内からロック体を抜き出させることができる。この結果、この発明にかかる連結具によれば、前記本体の筒状部へのロック体の差し入れによる二つの部材の連結状態を解く操作を行い易く、かかる連結状態にある二つの部材の分離作業をスムースになすことができる。
【図面の簡単な説明】
【図１】連結具の斜視図
【図２】連結具の斜視図
【図３】連結具の使用状態を示す断面図（連結状態Ｕ）
【図４】連結具の使用状態を示す断面図（解除状態Ｒ）
【図５】連結具の使用状態を示す側面図
【図６】連結具の側面図
【図７】図６と異なる向きから見た連結具の側面図
【図８】図６におけるＡ−Ａ線断面図
【図９】図６におけるＢ−Ｂ線断面図
【図１０】図６および図７と異なる向きから見た連結具の側面図
【図１１】図１０におけるＣ−Ｃ線断面図
【図１２】図１０におけるＤ−Ｄ線断面図
【図１３】図６、図７および図１０と異なる向きから見た連結具の側面図
【図１４】図６、図７、図１０および図１３と異なる向きから見た連結具の側面図
【符号の説明】
Ｐ  部材
Ｈ  取付穴
１０  本体
１１  筒状部
１２  鍔部
１３  挟持片
１４  掛合部
２０  ロック体
２１  弾性掛合片
２２  割溝
２３  解除操作部
２３ａ  指掛け穴
【図１】
0003879186.tif 000002
【図２】
0003879186.tif 000003
【図３】
0003879186.tif 000004
【図４】
0003879186.tif 000005
【図５】
0003879186.tif 000006
【図６】
0003879186.tif 000007
【図７】
0003879186.tif 000008
【図８】
0003879186.tif 000009
【図９】
0003879186.tif 000010
【図１０】
0003879186.tif 000011
【図１１】
0003879186.tif 000012
【図１２】
0003879186.tif 000013
【図１３】
0003879186.tif 000014
【図１４】
0003879186.tif 000015